(57)【要約】【課題】机の上がモニタ一体型パソコンとスキャナ装置だけで占領されてしまうことがないようにすることが可能なように、モニタ一体型パソコンに装着可能なスキャナ装置を提供する。【解決手段】モニタと該モニタの背面に結合されて該モニタを支持する自立筐体とで構成されるモニタ一体型処理装置に装着されるスキャナ装置１を、シート状原稿がモニタの正面側から挿入される搬送路入口１１と、センサ１６ａを備え挿入されたシート状原稿が前進搬送され該搬送の途中でセンサ１６ａによりスキャニングされる搬送路１２と、搬送されたシート状原稿が自立筐体の正面側に排出される搬送路出口１３とを備えて構成する。【選択図】図４
2011010020.tif 000002
【特許請求の範囲】
【請求項１】
パネル状に形成されたモニタと該モニタの背面に結合されて該モニタを支持する自立筐体とで構成されるモニタ一体型処理装置における、前記モニタの下で且つ前記自立筐体の前に形成された空間に収容されて前記モニタ一体型処理装置に装着されるスキャナ装置であって、
シート状原稿が前記モニタの正面側から挿入される搬送路入口と、センサを備え前記挿入された前記シート状原稿が前進搬送され該搬送の途中で前記センサによりスキャニングされる搬送路と、前記搬送された前記シート状原稿が前記自立筐体の正面側に排出される搬送路出口とを備えることを特徴とするスキャナ装置。
【請求項２】
請求項１記載のスキャナ装置において、
前記センサは、コンタクトイメージセンサであるスキャナ装置。
【請求項３】
請求項１または請求項２記載のスキャナ装置において、
前記搬送路は、側面視が円弧形状であるスキャナ装置。
【請求項４】
請求項３記載のスキャナ装置において、
前記搬送路は、該搬送路の外周側に設けられた搬送路外周壁と、該搬送路の内周側に設けられた搬送路内周壁とで挟まれて構成されるスキャナ装置。
【請求項５】
請求項４記載のスキャナ装置において、
前記センサは、前記搬送路内周壁に備えられており、
前記搬送路内周壁は、前記モニタ一体型処理装置の側面方向に引出し可能で、該引出しにより、前記搬送路外周壁と分離可能に構成されているスキャナ装置。
【請求項６】
請求項１から請求項５までのいずれか１項記載のスキャナ装置において、
前記搬送路、前記搬送路入口、及び、前記搬送路出口を有するスキャナユニットを備えており、
該スキャナユニットは、側面視が略円形の円筒形状で、該円筒形状の中心軸を回転中心として回転することにより、前記搬送路入口の向き、及び、前記搬送路出口の向きが、変更可能に回転位置決め可能であるスキャナ装置。
【請求項７】
請求項６記載のスキャナ装置において、
前記スキャナユニットは、
前記搬送路入口の向きが、前記シート状原稿が前記モニタの正面側から背面側に向かって挿入可能な向きになるように、且つ、
前記搬送路出口の向きが、前記シート状原稿が前記モニタの背面側から正面側に向かって排出可能な向きになるように、前記回転位置決めされているスキャナ装置。
【請求項８】
請求項６記載のスキャナ装置において、
前記スキャナユニットは、
前記搬送路入口の向きが、前記シート状原稿が前記モニタの正面側で該モニタの表示面に沿って下方に向かって挿入可能な向きになるように、且つ、
前記搬送路出口の向きが、前記シート状原稿が前記モニタの背面側で該モニタの背面に沿って上方に向かって排出可能な向きになるように、前記回転位置決めされているスキャナ装置。
【請求項９】
請求項１から請求項８までのいずれか１項記載のスキャナ装置において、
スキャニングされて読取られた画像は、前記モニタに表示され、該表示された画像の処理用メニューが、前記モニタに表示されるスキャナ装置。
【請求項１０】
請求項９記載のスキャナ装置において、
スキャニングされた画像は、ＰＤＦ（Portable Document Format）の画像で表示されるスキャナ装置。
【請求項１１】
請求項１から請求項１０までのいずれか１項記載のスキャナ装置において、
前記モニタはＬＣＤを備えているスキャナ装置。
【発明の詳細な説明】
【技術分野】
【０００１】
本発明は、パネル状に形成されたモニタと該モニタを背後から保持する自立筐体とで構成されるモニタ一体型処理装置に装着されるスキャナ装置に関する。
【背景技術】
【０００２】
従来、資料を配布する場合、配布する資料を複写機で必要部数コピーして配布する方式がとられていた。しかし、パソコンが一人一台の時代となり、これらのパソコンがＬＡＮ等で接続されている今日では、配布する資料をスキャナ装置で読取り、電子化して、ＬＡＮ等を介して電子的に配布する方式がよく用いられるようになっている。
【０００３】
上記の資料の配布において、資料の読取に用いられるスキャナ装置は、従来から、パソコンの入力装置として用いられてきた。このスキャナ装置は、当初は、フラットベット方式が用いられていた。このフラットベット方式のスキャナ装置は、広い設置面積が必要である。そのため、小型化が図られ、今日では、シート状原稿送り方式のスキャナ装置が提供されている（たとえば、特許文献１参照）。
【０００４】
特許文献１に記載されているようなシート状原稿送り方式のスキャナ装置は、前または後から、シート状原稿を挿入し、原稿自身を搬送して、この搬送の途中で原稿の読取を行い、スキャナ装置の後または前へ排出する方式を採用している。
【先行技術文献】
【特許文献】
【０００５】
【特許文献１】特開２００８−２２７９８８号公報
【発明の概要】
【発明が解決しようとする課題】
【０００６】
ところで、パソコンは、今日では広く普及しているが、このパソコンは、以前は、制御部を内蔵した独立した筐体を備えた本体、及び、同じく独立した筐体を備えたモニタ（ディスプレイ）と、キーボード等の入力機器とで構成されていた。
【０００７】
しかし、最近では、モニタは、大型化する傾向にあるものの、パソコン自身は、小型化が進行し、パソコンで使用される主要基板が小型化されること等により、この主要基板等の部品が、モニタ（ディスプレイ）内に内蔵され、パソコンとしては、パネル状に形成されたモニタ、及び、該モニタを背後から保持する自立筐体と、キーボード等の入力機器とで構成されるモニタ一体型パソコンが、主流となっている。
【０００８】
このモニタ一体型パソコンにおいて、上述した資料を電子的に配布する方式を用いる場合に、スキャナ装置をモニタ一体型パソコンと机の上に一緒に並べて使用するのが便宜である。
【０００９】
しかし、小型化されて設置スペースが少なくて済むモニタ一体型パソコンに対して、フラットベット方式のスキャナ装置は相対的に広い設置スペースが必要で、机の上が、モニタ一体型パソコンとスキャナ装置だけで占領されてしまい、他のものを机の上に置くことができず、作業性が悪くなる問題があった。
【００１０】
この点は、スキャナ装置として、フラットベット方式のスキャナ装置ではなく、特許文献１に記載されているようなシート状原稿送り方式のスキャナ装置を用いたとしても、設置スペースが少なくて済むモニタ一体型パソコンに対して、シート状原稿送り方式のスキャナ装置は、相対的に広い設置スペースが必要で、机の上が、モニタ一体型パソコンとスキャナ装置だけで占領されてしまうことに変わりはなく、作業性が悪くなる点は、上記と同様である。
【００１１】
そこで、この発明は、上記の問題を解決するためになされたものであって、モニタ一体型パソコンに装着可能であって、机の上が、モニタ一体型パソコンとスキャナ装置だけで占領されてしまうことがないようにすることを可能にするために、モニタ一体型パソコンに装着可能なスキャナ装置を提供しようとするものである。
【００１２】
尚、上記のモニタ一体型パソコンにおいて、本明細書では、以下、パネル状に形成されたモニタと該モニタを背後から保持する自立筐体とで構成される装置を、モニタ一体型処理装置と称する。そして、このモニタ一体型処理装置とキーボード等の入力機器とで構成されるパソコンを、モニタ一体型パソコンと称する。但し、上記のモニタ一体型処理装置は、代表的には、パソコンに使用されるが、モニタ一体型処理装置が使用されるのは、パソコンには限られない。
【課題を解決するための手段】
【００１３】
本発明のスキャナ装置は、次のようなスキャナ装置である。即ち、パネル状に形成されたモニタと該モニタの背面に結合されて該モニタを支持する自立筐体とで構成されるモニタ一体型処理装置における、モニタの下で且つ自立筐体の前に形成された空間に収容されてモニタ一体型処理装置に装着されるスキャナ装置である。
【００１４】
このスキャナ装置は、シート状原稿がモニタの正面側から挿入される搬送路入口と、センサを備え挿入されたシート状原稿が前進搬送され該搬送の途中でセンサによりスキャニングされる搬送路と、搬送されたシート状原稿が自立筐体の正面側に排出される搬送路出口とを備えることを特徴としている。
【００１５】
このようにすることにより、スキャナ装置が装着されたモニタ一体型処理装置を構成することができ、このスキャナ装置が装着されたモニタ一体型処理装置を机の上に設置するだけで、スキャナ装置を利用することができる。従って、従来のスキャナ装置を使用した場合におけるような、机の上がモニタ一体型処理装置とスキャナ装置だけで占領されてしまうことを、避けることができる。
【００１６】
また、スキャナ装置へのシート状原稿の挿入を、モニタ一体型処理装置の正面側から行うことができ、且つ、排出されたシート状原稿を、モニタ一体型処理装置の自立筐体の正面側、即ち、モニタ一体型処理装置の正面側へ取出すことができる。従って、スキャナ装置に対する操作者の操作を容易にすることができる。
【００１７】
上記のスキャナ装置において、センサとしてコンタクトイメージセンサを用いるのが好適である。
【００１８】
このコンタクトイメージセンサは、イメージスキャナなどに使われているイメージセンサの１つで、密着型の撮像素子である。そのため、スキャナ装置に装着するスペースを小さくすることができ、スキャナ装置を小型化することができる。
【００１９】
また、上記のスキャナ装置において、搬送路は、側面視が円弧形状とするのが好適である。このようにすることにより、搬送路として、スキャナ装置へのシート状原稿の挿入を、モニタ一体型処理装置の正面側から行うことができ、且つ、排出されたシート状原稿を、モニタ一体型処理装置の自立筐体の正面側、即ち、モニタ一体型処理装置の正面側へ取出すことができる形状の搬送路とすることができる。
【００２０】
上記の搬送路は、具体的には、該搬送路の外周側に設けられた搬送路外周壁と、該搬送路の内周側に設けられた搬送路内周壁とで挟まれて構成されるようにする。
【００２１】
また、上記のスキャナ装置において、次のように構成するようにしてもよい。即ち、センサを搬送路内周壁に備える。そして、このセンサを備えた搬送路内周壁が、モニタ一体型処理装置の側面方向に引出し可能で、該引出しにより、搬送路外周壁と分離可能に構成するのである。
【００２２】
このようにすることにより、搬送路やセンサのメインテナンスを容易に行うことができる。
【００２３】
また、上記のスキャナ装置において、次のように構成するようにしてもよい。即ち、上記のスキャナ装置に、搬送路、搬送路入口、及び、搬送路出口を有するスキャナユニットを備える。そして、このスキャナユニットを、側面視が略円形の円筒形状で、該円筒形状の中心軸を回転中心として回転することにより、搬送路入口の向き、及び、搬送路出口の向きが、変更可能に回転位置決め可能となるように構成するのである。
【００２４】
このようにすることにより、搬送路入口の向き、及び、搬送路出口の向きを、変更可能とすることができる。
【００２５】
上記の場合、具体的に、次のようにしてもよい。即ち、搬送路入口の向きが、シート状原稿をモニタ一体型処理装置の正面側から背面側に向かって挿入可能な向きになるように、且つ、搬送路出口の向きが、シート状原稿をモニタ一体型処理装置の背面側から正面側に向かって排出可能な向きになるように、スキャナユニットを、回転位置決めするのである。
【００２６】
このようにすることにより、シート状原稿をモニタの正面側から背面側に向かって挿入することができ、且つ、シート状原稿をモニタの背面側から正面側に向かって排出するようにすることができる。
【００２７】
或いは、次のようにしてもよい。即ち、搬送路入口の向きが、シート状原稿がモニタの正面側で該モニタの表示面に沿って下方に向かって挿入可能な向きになるように、且つ、搬送路出口の向きが、シート状原稿がモニタの背面側で該モニタの背面に沿って上方に向かって排出可能な向きになるように、スキャナユニットを、回転位置決めするのである。
【００２８】
このようにすることにより、シート状原稿をモニタの正面側で該モニタの表示面に沿って下方に向かって挿入することができ、且つ、シート状原稿をモニタの背面側で該モニタの背面に沿って上方に向かって排出するようにすることができる。
【００２９】
上記の各スキャナ装置において、次のようにしてもよい。即ち、スキャニングされて読取られた画像を、モニタに表示する。そして、同時に、該表示された画像の処理用メニューを、モニタに表示するのである。
【００３０】
このようにすることにより、スキャニングされて読取られた画像の処理の方法を、読取られた画像と共に表示することができ、読取られた画像に対する操作者の操作を容易にすることができる。
【００３１】
また、上記のスキャナ装置において、スキャニングされた画像を、ＰＤＦ（Portable Document Format）の画像で表示するようにしてもよい。ＰＤＦは汎用的に使用されるフォーマットであり、読取られた画像に対する操作者の操作を容易にすることができる。
【００３２】
また、上記のスキャナ装置において、モニタには、ＬＣＤを備えるようにしてもよい。このＬＣＤは、厚さを薄く製作することができるので、上記のスキャナ装置の構成を容易に行うことができる。
【発明の効果】
【００３３】
本発明によれば、スキャナ装置が装着されたモニタ一体型処理装置を構成することができ、このスキャナ装置が装着されたモニタ一体型パソコンを机の上に設置するだけで、スキャナ装置を利用することができる。従って、従来のスキャナ装置を使用した場合におけるような、机の上がモニタ一体型処理装置とスキャナ装置だけで占領されてしまうことを、避けることができる。
【００３４】
また、スキャナ装置へのシート状原稿の挿入を、モニタ一体型処理装置の正面側から行うことができ、且つ、排出されたシート状原稿を、モニタ一体型処理装置の自立筐体の正面側、即ち、モニタ一体型処理装置の正面側へ取り出すことができる。従って、スキャナ装置に対する操作者の操作を容易にすることができる。
【図面の簡単な説明】
【００３５】
【図１】実施の形態におけるスキャナ装置の正面図である。
【図２】実施の形態におけるスキャナ装置の左側面図である。
【図３】実施の形態におけるスキャナ装置の右側面図である。
【図４】図１のＡ−Ａ断面図である。
【図５】実施の形態におけるスキャナ装置が装着されるモニタ一体型処理装置の正面図である。
【図６】実施の形態におけるスキャナ装置が装着されるモニタ一体型処理装置の左側面図である。
【図７】実施の形態におけるスキャナ装置が装着されるモニタ一体型処理装置の右側面図である。
【図８】実施の形態におけるスキャナ装置が装着された状態のモニタ一体型処理装置の正面図である。
【図９】実施の形態におけるスキャナ装置が装着された状態のモニタ一体型処理装置の左側面図である。
【図１０】実施の形態におけるスキャナ装置が装着された状態のモニタ一体型処理装置の右側面図である。
【図１１】実施の形態におけるスキャナ装置が装着された状態のモニタ一体型処理装置のモニタ画面図である。
【図１２】実施の形態における向きの異なるスキャナ装置が装着された状態のモニタ一体型処理装置の正面図である。
【図１３】実施の形態における向きの異なるスキャナ装置が装着された状態のモニタ一体型処理装置の左側面図である。
【図１４】図１２のＢ−Ｂ断面図である。
【発明を実施するための形態】
【００３６】
次に、本発明の実施の形態におけるスキャナ装置について、図面に基づき詳細に説明する。
【００３７】
図１は本実施の形態におけるスキャナ装置１の正面図、図２はその左側面図、図３はその右側面図、図４は図１のＡ−Ａ断面図、図５は本実施の形態におけるスキャナ装置１が装着されるモニタ一体型処理装置２の正面図、図６はその左側面図、図７はその右側面図、図８は本実施の形態におけるスキャナ装置１が装着された状態のモニタ一体型処理装置２の正面図、図９はその左側面図、そして、図１０はその右側面図である。
【００３８】
本実施の形態におけるスキャナ装置１は、モニタ一体型処理装置２に装着されるスキャナ装置である。このスキャナ装置１が装着されるモニタ一体型処理装置２は、図５〜図７に示すように、モニタ３と自立筐体４とで構成されている。
【００３９】
モニタ３の前面には、ＬＣＤが備えられている。また、モニタ３の内部には、モニタ一体型処理装置２の処理用のＣＰＵ等の制御回路が備えられている。
【００４０】
自立筐体４は、自立筐体台座部４ｄの後部の上面上に自立筐体胴部４ｃが立設され、この自立筐体胴部４ｃの上面から立設された自立筐体支持軸部４ｂの頂部に、自立筐体頭部４ａが、自立筐体支持軸部４ｂを回転軸として回転自在に取付けられて構成されている。これにより、モニタ３が左右に首振り可能である。
【００４１】
上記の自立筐体頭部４ａの前面には、モニタ３のモニタ背面３ｂに取付けられたモニタ取付軸３ｃを介して、モニタ３が上下に首振り可能に取付けられている。従って、モニタ３は、自立筐体４に対して上下左右に首振り可能である。
【００４２】
上記のモニタ一体型処理装置２では、自立筐体４の自立筐体胴部４ｃの前で、自立筐体台座部４ｄの上面とモニタ３の下端との間に空間５が形成されている。この空間５に、本実施の形態におけるスキャナ装置１が装着される。
【００４３】
上記のスキャナ装置１は、図１から図４に示すように、スキャナユニット１０とスキャナユニット装着部２０とで構成されている。この内、スキャナユニット１０は、全体が、左右方向に中心軸が延びた略円筒形状であり、スキャナユニット装着部２０は、後部が高い形状で断面がＬ字型をしている。
【００４４】
この内、スキャナユニット１０は、外周部１４、内周部１５、及び、センサユニット部１６で構成されている。内周部１５は、この内周部１５の前部側下部の断面が、図４に示すように、円形の一部を切欠いたような形状をしており、この切欠された部分に、断面が方形状のセンサユニット部１６が嵌め込まれて、内周部１５に固定されている。
【００４５】
外周部１４は、内周部１５の後部側の上部から下部にかけての外周表面部分の約半周部分と、センサユニット部１６の底部とに対面して配設されており、断面が図４に示すように円弧状をしている。
【００４６】
この外周部１４が、内周部１５及びセンサユニット部１６と対面する部分の内周側には、搬送路外周壁１７が形成され、内周部１５及びセンサユニット部１６が外周部１４と対面する部分の外周側には、搬送路内周壁１８が形成されている。
【００４７】
これらの搬送路外周壁１７と、搬送路内周壁１８との間には、シート状原稿が搬送される搬送路１２が形成される。従って、搬送路１２は、略円弧状をしている。但し、センサユニット部１６の底部、及び、この底部と対面する外周部１４の部分は、略直線状であり、従って、この部分に形成されている搬送路１２は、略直線状である。
【００４８】
搬送路１２の一方の端部である前端部分には、シート状原稿を挿入するための搬送路入口１１が設けられ、他方の端部である外周部１４の上端部には、シート状原稿を排出するための搬送路出口１３が設けられている。
【００４９】
搬送路１２の搬送路入口１１近くの搬送路外周壁１７と搬送路内周壁１８には、それぞれ、導入ローラ１７ａと導入ローラ１８ａが対面して備えられている。また、搬送路１２の途中部の近くの搬送路外周壁１７と搬送路内周壁１８には、それぞれ、搬送ローラ１７ｂと搬送ローラ１８ｂが対面して備えられている。そして、搬送路１２の搬送路出口１３の近くの搬送路外周壁１７と搬送路内周壁１８には、それぞれ、排出ローラ１７ｃと排出ローラ１８ｃが対面して備えられている。
【００５０】
上記の各ローラは、図示されていないモータにより駆動される。また、搬送路１２の搬送路入口１１近くには、原稿検知レバー１６ｄを備えた原稿検知スイッチ１６ｃが備えられており、シート状原稿が搬送路入口１１に挿入されると、この原稿検知スイッチ１６ｃが働いて、図示されていないタイマにより一定時間、上記のモータが回転する。このモータの回転により、上述した各ローラが回転して、シート状原稿が搬送される。
【００５１】
センサユニット部１６の底部には、ガラス１６ｂが嵌めこまれており、このガラス１６ｂは搬送路内周壁１８の一部を構成している。また、センサユニット部１６の内部には、コンタクトイメージセンサ１６ａが備えられている。
【００５２】
コンタクトイメージセンサ１６ａは、イメージスキャナなどに使われているイメージセンサの１つで、ＣＭＯＳ製の密着型の撮像素子である。このコンタクトイメージセンサ１６ａには、シート状原稿照射用に使用される発光ダイオードと、シート状原稿からの反射光を増幅するセルフォックスレンズが組込まれている。
【００５３】
このコンタクトイメージセンサ１６ａは、上記のガラス１６ｂに接近して配設されており、搬送路入口１１から挿入されたシート状原稿が、上記のガラス１６ｂの下を通過する際に、シート状原稿に記載されている画像の読取を、セルフォックスレンズを介して行う。
【００５４】
スキャナユニット１０の内周部１５の内部には、制御基板１５ａが備えられている。この制御基板１５ａには、ＣＰＵやフラッシュメモリ、その他の周辺回路等のハードウエアが搭載されている。また、上記のフラッシュメモリには、ＯＳや各種制御プログラム等のソフトウエアが記憶されている。
【００５５】
これらのハードウエアやソフトウエアにより、上述したコンタクトイメージセンサ１６ａの各種の制御や、コンタクトイメージセンサ１６ａから出力される出力信号の処理、或いは、原稿検知スイッチ１６ｃを用いた上記のモータの回転制御等が行われる。
【００５６】
上記のスキャナユニット１０と共にスキャナ装置１を構成するスキャナユニット装着部２０は、上述したように、後部が高い形状で断面がＬ字型をしており、後部の内部には、電源基板収納部２１が設けられ、背の低い底部には、スキャナユニット装着部底板２２が設けられている。また、スキャナユニット装着部２０の左右の両側面には、スキャナユニット装着部側板２３が備えられている。
【００５７】
上記の電源基板収納部２１には、スキャナユニット１０に使用される電源用の電源基板２１ａが備えられている。
【００５８】
上記のスキャナユニット１０は、スキャナユニット装着部２０の電源基板収納部２１の前面側でスキャナユニット装着部底板２２の上側に空間が形成されており、この空間に、図４に示すように、スキャナユニット１０が装着されている。
【００５９】
略円筒形状のスキャナユニット１０は、中心軸の左右の両側部の部分に、スキャナユニット回転軸１０ａが設けられている。そして、スキャナユニット１０は、このスキャナユニット回転軸１０ａが、スキャナユニット装着部２０のスキャナユニット装着部側板２３に設けられた図示されていない装着孔に挿入されて、このスキャナユニット回転軸１０ａを回転中心として回転可能に、スキャナユニット装着部２０に取付けられている。
【００６０】
また、上記のスキャナユニット１０回転軸１０ａには、スキャナユニット装着部側板２３の装着孔から突出した左側の先端に、スキャナユニット回転レバー１０ｂが取付けられている。
【００６１】
また、スキャナユニット１０は、スキャナユニット回転レバー１０ｂを回転させることにより、スキャナユニット装着部２０に対して、回転軸１０ａを回転中心として回転可能に構成されている。
【００６２】
即ち、スキャナユニット１０は、スキャナユニット１０に備えられている搬送路入口１１の向きと搬送路出口１３の向きとが所定の方向を向くように、スキャナユニット回転レバー１０ｂを回転させて、位置決めされて、固定されている。
【００６３】
上述した、図１〜図４、及び、図８〜図１０では、これらの図からわかるように、スキャナユニット１０は、搬送路入口１１の向きが、シート状原稿がモニタ３の正面側から背面側に向かって挿入可能な向きになるように、且つ、搬送路出口１３の向きが、シート状原稿がモニタ３の背面側から正面側に向かって排出可能な向きになるように、スキャナユニット回転レバー１０ｂを回転させて、回転位置決めされている。
【００６４】
上記のスキャナユニット１０では、上記のほか、図１２〜図１４に示すようにすることもできる。即ち、搬送路入口１１の向きが、シート状原稿がモニタ３の正面側で該モニタ３の表示面３ａに沿って下方に向かって挿入可能な向きになるように、且つ、搬送路出口１３の向きが、シート状原稿がモニタ３の背面側で該モニタ３のモニタ背面３ｂに沿って上方に向かって排出可能な向きになるように、スキャナユニット回転レバー１０ｂを回転させて、スキャナユニット１０を回転位置決めするのである。
【００６５】
この場合は、排出されたシート状原稿の取出しを、操作者が容易に行えるようにするために、スキャナ装置１を、右側、または、左側にずらして、モニタ一体型処理装置２に装着するのが便宜である。図１２〜図１４に示す状態では、図１２に示すように、左側にずらして、モニタ一体型処理装置２に装着している。
【００６６】
また、上記のスキャナユニット１０では、上記のスキャナユニット回転レバー１０ｂをスキャナユニット１０回転軸１０ａから外して、スキャナユニット装着部側板２３を取外すと、内周部１５とこの内周部１５に固定されたセンサユニット部１６は、スキャナユニット装着部２０から、このスキャナユニット装着部２０の左側の側面方向に引出すことができる。
【００６７】
この内周部１５とセンサユニット部１６を左側の側面方向に引出すと、外周部１４のみがスキャナユニット装着部２０に残される。従って、この内周部１５とセンサユニット部１６を左側の側面方向に引出すことにより、内周部１５及びセンサユニット部１６と、外周部１４とを分離することができる。
【００６８】
即ち、内周部１５及びセンサユニット部１６側に形成されている搬送路内周壁１８と、外周部１４側に形成されている搬送路外周壁１７とを分離することができる。また、内周部１５とセンサユニット部１６は、左側の側面方向に引出した後は、センサユニット部１６は、内周部１５から取外すことができるように、構成されている。従って、搬送路１２及びセンサユニット部１６のメインテナンスを、容易に行うことができる。
【００６９】
上記のスキャナユニット１０は、次のようにして使用される。即ち、操作者がスキャナ装置１によりシート状原稿の読取を行わせる場合、シート状原稿を搬送路入口１１に挿入する。すると、原稿検知スイッチ１６ｃが働いて、一定時間、上述したモータが回転して、導入ローラ１７ａ，１８ａ、搬送ローラ１７ｂ，１８ｂ、及び、排出ローラ１７ｃ，１８ｃが回転する。
【００７０】
これらのローラの回転により、シート状原稿が搬送路入口１１から取り込まれて、搬送路１２を搬送され、搬送の途中で、センサユニット部１６のコンタクトイメージセンサ１６ａにより、読取が行われ、さらに搬送路１２を搬送されて、搬送路出口１３から排出される。
【００７１】
コンタクトイメージセンサ１６ａで読取された信号は、コンタクトイメージセンサ１６ａ出力されて、スキャナユニット１０に備えられている制御基板１５ａに入力され、データ化される。このデータは、モニタ一体型処理装置２に送られて、モニタ一体型処理装置２のモニタ３に備えられているＬＣＤで構成されたモニタ表示面３ａに、図１１に示すように表示される。
【００７２】
このデータ即ち、画像の表示は、ＰＤＦ（Portable Document Format）の画像で表示されるように、コンタクトイメージセンサ１６ａで読取された信号が、スキャナユニット１０に備えられている制御基板１５ａで処理される。また、データ、即ち、画像が表示されると同時に、表示された画像の処理用メニューが、図１１に示すように、モニタ一体型処理装置２のモニタ３のモニタ表示面３ａに表示される。
【００７３】
上記のスキャナ装置１によれば、シート状原稿がモニタ３の正面側から挿入される搬送路入口１１と、挿入されたシート状原稿が前進搬送され、該搬送の途中でコンタクトイメージセンサ１６ａによりスキャニングされる搬送路１２と、搬送されたシート状原稿が自立筐体４の正面側に排出される搬送路出口１３とを、スキャナ装置１が備えている。
【００７４】
そのため、スキャナ装置１が装着されたモニタ一体型処理装置２を構成することができ、このスキャナ装置１が装着されたモニタ一体型処理装置２を机の上に設置するだけで、スキャナ装置１を利用することができる。従って、従来のスキャナ装置を使用した場合におけるような、机の上がモニタ一体型処理装置とスキャナ装置だけで占領されてしまうことを、避けることができる。
【００７５】
また、スキャナ装置１へのシート状原稿の挿入を、モニタ一体型処理装置２の正面側から行うことができ、且つ、排出されたシート状原稿を、モニタ一体型処理装置２の自立筐体４の正面側、即ち、モニタ一体型処理装置２の正面側へ取出すことができる。従って、スキャナ装置１に対する操作者の操作を容易にすることができる。
【００７６】
また、シート状原稿の読取用のセンサとしては、コンタクトイメージセンサ１６ａが用いられる。そのため、スキャナ装置１に装着するスペースを小さくすることができ、スキャナ装置１を小型化することができる。
【００７７】
また、搬送路１２は、側面視が円弧形状である。そのため、スキャナ装置１へのシート状原稿の挿入を、モニタ一体型処理装置２の正面側から行うことができ、且つ、排出されたシート状原稿を、モニタ一体型処理装置２の自立筐体４の正面側、即ち、モニタ一体型処理装置２の正面側へ取出すことができる。
【００７８】
また、上記のスキャナ装置１は、コンタクトイメージセンサ１６ａを搬送路内周壁１８に備え、このコンタクトイメージセンサ１６ａを備えた搬送路内周壁１８が、モニタ一体型処理装置２の側面方向に引出し可能で、該引出しにより、搬送路外周壁１７と分離可能に構成されている。そのため、搬送路１２やコンタクトイメージセンサ１６ａのメインテナンスを容易に行うことができる。
【００７９】
また、上記のスキャナ装置１は、スキャナユニット１０が、側面視が略円形の円筒形状で、スキャナユニット回転軸１０ａを回転中心として回転することができる。そのため、上記のスキャナ装置１は、搬送路入口１１の向き、及び、搬送路出口１３の向きを変更可能に回転位置決め可能である。従って、スキャナ装置１の搬送路入口１１の向き、及び、搬送路出口１３の向きを、変更可能とすることができる。
【００８０】
また、上記のスキャナ装置１は、スキャニングされて読取られた画像を、モニタ３に表示すると同時に、表示された画像の処理用メニューを、モニタ３に表示する。そのため、スキャニングされて読取られた画像の処理の方法を、読取られた画像と共に表示することができ、読取られた画像に対する操作者の操作を容易にすることができる。
【００８１】
また、上記のスキャナ装置１は、スキャニングされた画像を、ＰＤＦ（Portable Document Format）の画像で表示する。このＰＤＦは汎用的に使用されるフォーマットであることから、読取られた画像に対する操作者の操作を容易にすることができる。
【００８２】
また、上記のスキャナ装置１は、モニタ３にＬＣＤを備えている。このＬＣＤは、厚さを薄く製作することができるので、スキャナ装置１の構成を容易に行うことができる。
【符号の説明】
【００８３】
１  スキャナ装置
２  モニタ一体型処理装置
３  モニタ
３ａ  モニタ表示面
３ｂ  モニタ背面
３ｃ  モニタ取付軸
４  自立筐体
４ａ  自立筐体頭部
４ｂ  自立筐体支持軸部
４ｃ  自立筐体胴部
４ｄ  自立筐体台座部
５  空間
１０  スキャナユニット
１０ａ  スキャナユニット回転軸
１０ｂ  スキャナユニット回転レバー
１１  搬送路入口
１２  搬送路
１３  搬送路出口
１４  外周部
１５  内周部
１５ａ  制御基板
１６  センサユニット部
１６ａ  コンタクトイメージセンサ
１６ｂ  ガラス
１６ｃ  原稿検知スイッチ
１６ｄ  原稿検知レバー
１７  搬送路外周壁
１７ａ  導入ローラ
１７ｂ  搬送ローラ
１７ｃ  排出ローラ
１８  搬送路内周壁
１８ａ  導入ローラ
１８ｂ  搬送ローラ
１８ｃ  排出ローラ
２０  スキャナユニット装着部
２１  電源基板収納部
２１ａ  電源基板
２２  スキャナユニット装着部底板
２３  スキャナユニット装着部側板
【図１】
2011010020.tif 000003
【図２】
2011010020.tif 000004
【図３】
2011010020.tif 000005
【図４】
2011010020.tif 000006
【図５】
2011010020.tif 000007
【図６】
2011010020.tif 000008
【図７】
2011010020.tif 000009
【図８】
2011010020.tif 000010
【図９】
2011010020.tif 000011
【図１０】
2011010020.tif 000012
【図１１】
2011010020.tif 000013
【図１２】
2011010020.tif 000014
【図１３】
2011010020.tif 000015
【図１４】
2011010020.tif 000016